(57)【要約】【課題】複数の通信方式に対応可能な無線通信端末において、圏外と判定された状態にあっても発信操作が行なわれたときに通信システムの捕捉を効率的に行う。【解決手段】無線通信端末は、制御部８と通信部１と、記憶部７とで構成され、制御部８は、複数の通信システムのうち、捕捉に成功した通信システムを特定する情報を記憶部７に成功履歴として記憶させ、通信を行なうことのできない圏外状態にあると判定された状態において通信開始の要求がなされると、成功履歴にて特定される通信システムを捕捉対象として通信部１に捕捉試行させ、当該捕捉試行に失敗した場合、複数の通信システムのうち成功履歴にて特定されない通信システムを捕捉対象として通信部１に捕捉試行させ、通信部１による捕捉試行に成功すると通信を開始させるように構成したものである。【選択図】図２
2008141260.tif 000002
【特許請求の範囲】
【請求項１】
複数の通信システムを捕捉可能であり、かつ通信プロトコルによる通信を実行可能な通信部と、通信開始が指示されたときに、前記複数の通信システムのいずれかで前記通信プロトコルを用いて前記通信部による通信を制御する制御部と、記憶部と、を備える無線通信端末であって、
前記制御部は、
前記複数の通信システムのうち、捕捉に成功した通信システムを特定する情報を前記記憶部に成功履歴として記憶させ、
通信を行なうことのできない圏外状態にあると判定された状態において通信開始の要求がなされると、前記成功履歴にて特定される通信システムを捕捉対象として前記通信部に捕捉試行させ、当該捕捉試行に失敗した場合、前記複数の通信システムのうち前記成功履歴にて特定されない通信システムを捕捉対象として前記通信部に捕捉試行させ、
前記通信部による捕捉試行に成功すると通信を開始させる、
ことを特徴とする無線通信端末。
【請求項２】
前記記憶部は、
前記通信部が捕捉に成功した通信システムを特定する情報を、捕捉に成功した順に、前記成功履歴として複数件を記憶し、
前記制御部は、
前記通信部に前記成功履歴に基づいて捕捉試行を実行させる際、前記成功履歴にて特定される通信システムのうち最も新しいものから順に捕捉対象とする
ことを特徴とする請求項１に記載の無線通信端末。
【請求項３】
前記制御部は、
前記通信部に、捕捉させる通信システムを指示する通信システム選択部と、
前記通信部に、前記通信プロトコルによる捕捉を指示するプロトコル実行部と、
前記通信システム選択部に、前記通信システムの捕捉試行処理開始指示を行う捕捉指示機能実行部と、
を有し、
前記捕捉指示機能実行部は、
通信を行うことのできない圏外状態にあると判定される状態において通信開始の要求がなされると、前記通信システム選択部に前記成功履歴に格納される情報が特定する通信システムを選択させるとともに、当該選択された通信システムの捕捉指示を前記プロトコル実行部に行わせ、前記プロトコル実行部による捕捉試行に失敗した場合、前記複数の通信システムのうち前記成功履歴に無い通信システムを前記通信システム選択部に選択させるとともに、当該選択された通信システムの捕捉指示を前記プロトコル実行部に行わせる、
ことを特徴とする請求項１に記載の無線通信端末。
【請求項４】
前記制御部は、
前記通信部が捕捉に成功した通信システムについて、捕捉が成功した順に、前記成功履歴として複数件を記憶し、
前記通信システム選択部は、
前記成功履歴に基づいて捕捉対象を選択する際、前記成功履歴にて特定される通信システムのうち最も新しいものから順に選択する
ことを特徴とする請求項３に記載の無線通信端末。
【請求項５】
前記通信プロトコルは、第１の通信プロトコルと第２の通信プロトコルを含み、
前記プロトコル実行部は、
前記通信部に対し、前記第１の通信プロトコルによる捕捉を指示する第１プロトコル実行部と、前記第１の通信プロトコルより捕捉試行処理のための優先度が低い第２の通信プロトコルによる捕捉を指示する第２プロトコル実行部と、
を含み、
前記捕捉指示機能実行部は、
前記圏外状態において通信開始の要求がなされ、前記通信システム選択部に前記成功履歴に基づいて通信システムを選択させると、当該選択された通信システムの捕捉指示を前記第１プロトコル実行部に行わせ、前記第１プロトコル実行部による捕捉試行に失敗すると、前記成功履歴に基づいて通信システムを選択させるとともに、当該選択された通信システムの捕捉指示を前記第２プロトコル実行部に行わせる
ことを特徴とする請求項３または４に記載の無線通信端末。
【請求項６】
前記捕捉指示機能実行部は、
前記圏外状態において通信開始の要求がなされ、前記成功履歴に基づいて選択された通信システムの捕捉試行が、前記第１プロトコル実行部と前記第２プロトコル実行部がともに失敗した場合、前記複数の通信システムのうち前記成功履歴にて特定されない通信システムを前記通信システム選択部に選択させ、当該選択された通信システムの捕捉指示を前記第１プロトコル実行部に行わせ、前記第１プロトコル実行部による捕捉試行に失敗すると、前記成功履歴に基づいて通信システムを選択させるとともに、当該選択された通信システムの捕捉指示を前記第２プロトコル実行部に行わせる
ことを特徴とする請求項５に記載の無線通信端末。
【請求項７】
前記記憶部は、
前記成功履歴を記憶する際、捕捉に成功した通信システムを示す情報とともに、前記第１プロトコル実行部と前記第２プロトコル実行部のいずれによって捕捉に成功したかを示す情報が格納され、
前記捕捉指示機能実行部は、
前記圏外状態において通信開始の要求がなされ、前記通信システム選択部に前記成功履歴に基づいて通信システムを選択する際、前記第１プロトコル実行部により捕捉成功した通信システムを選択して前記第１プロトコル実行部に捕捉指示させ、当該選択された通信システムについて捕捉試行に失敗すると、前記成功履歴に基づいて前記第２プロトコル実行部により捕捉成功した通信システムを選択して当該選択された通信システムの捕捉指示を前記第２プロトコル実行部に行わせる
ことを特徴とする請求項６に記載の無線通信端末。
【発明の詳細な説明】
【技術分野】
【０００１】
本発明は、特に、マルチバンド対応の無線通信システムに用いて好適な、無線通信端末に関する。
【背景技術】
【０００２】
ＣＤＭＡ（Code Division Multiple Access）通信に適用される無線通信端末は、発着信やデータ通信を行なう際に、チャネルの捕捉動作を開始する。そして、捕捉したチャネルの構成情報、タイミング情報を取得し、また、捕捉したチャネルのタイミングに同期させて位置登録情報等を取得する。
ところで、チャネルの受信電界強度は、無線通信端末の使用環境（地形や建物等）によっては著しく低下することがあり、チャネルの受信電界強度が低い場合には、チャネルの電波を受信したにもかかわらず、当該チャネルが捕捉できなかったものと判定され、圏内復帰処理に移行する。この圏内復帰処理において、無線通信端末は所定の周期でチャネルの捕捉動作を行なうシステムスキャンを実行する。
【０００３】
ところで、無線通信端末が圏外にある場合、無線通信端末は、内部的に圏外であることを示すフラグ（圏外フラグ）をＯＮする。このような状況にあって、ユーザが発信操作を行なっても圏外フラグがＯＮしている間は発信できる可能性が低く、また、省電力のために発信処理を起動していなかった。
また、一旦、圏外と判定された場合、圏内復帰処理を所定周期で行うが、復帰のためのシステムスキャンを試行する通信方式が限定的であったりして、圏内復帰のために要する時間は無視できないものとなっている。例えば、無線通信端末を金属製コインロッカーなどへ収納する場合を考えると、金属コインロッカーなどは、入れてしまうと電波障害物に囲まれて圏外となってしまうが、出すと電波環境は良好な環境である。このように、無線通信端末の周辺の電波環境が極端に異なる場合、例えば、コインロッカーから出してすぐに圏内復帰できればよいが、圏内復帰捕捉動作のタイミングにならない限りすぐには復帰できないため、通信可能となるまでしばらく時間がかかってしまう。また、圏内復帰捕捉処理を より短い周期で行えば、圏内への復帰は早いが、圏外時における消費電力が増大してしまう。さらに、圏内復帰処理を行うにしても、効率よく捕捉対象を特定できなければ、圏内復帰にも時間を要してしまう。
【０００４】
上記した問題を解決するために、圏外と判定された場合でも発信操作がなされればチャネルの捕捉動作を行う技術が知られている（例えば、特許文献１参照）。
【特許文献１】特開２００３−２３６６５号公報
【発明の開示】
【発明が解決しようとする課題】
【０００５】
上記した特許文献１に開示された技術によれば、圏内復帰処理において発呼成功率を向上させることができる。しかしながら、最近、１個の無線通信端末で複数の周波数帯（例えば、８００ＭＨｚ、２ＧＨｚ）が使用可能になってきており、また、使用できる通信プロトコルについても複数（１ｘ、ＥＶＤＯ）対応可能な無線通信端末が増加してきており、単一の通信システムについての複数チャネルの圏内復帰捕捉処理だけでは、ユーザが希望する通信方式での発信がなされるとは限らない。
【０００６】
本発明は上記した課題に基づいてなされたものであり、複数の通信方式に対応可能な無線通信端末において、圏外と判定された状態にあっても発信操作が行なわれたときに通信システムの捕捉を効率的に行い、極力、ユーザが希望する通信方式による接続を試行することのできる無線通信端末を提供することを目的とする。
【課題を解決するための手段】
【０００７】
上記した課題を解決するために本発明の無線通信端末は、複数の通信システムを捕捉可能であり、かつ通信プロトコルによる通信を実行可能な通信部と、通信開始が指示されたときに、前記複数の通信システムのいずれかで前記通信プロトコルを用いて前記通信部による通信を制御する制御部と、記憶部と、を備える無線通信端末であって、前記制御部は、前記複数の通信システムのうち、捕捉に成功した通信システムを特定する情報を前記記憶部に成功履歴として記憶させ、通信を行なうことのできない圏外状態にあると判定された状態において通信開始の要求がなされると、前記成功履歴にて特定される通信システムを捕捉対象として前記通信部に捕捉試行させ、当該捕捉試行に失敗した場合、前記複数の通信システムのうち前記成功履歴にて特定されない通信システムを捕捉対象として前記通信部に捕捉試行させ前記通信部による捕捉試行に成功すると通信を開始させる、ように構成したものである。
【０００８】
また、本発明の無線通信端末において、前記記憶部は、前記通信部が捕捉に成功した通信システムを特定する情報を、捕捉に成功した順に、前記成功履歴として複数件を記憶し、  前記制御部は、前記通信部に前記成功履歴に基づいて捕捉試行を実行させる際、前記成功履歴にて特定される通信システムのうち最も新しいものから順に捕捉対象とするように構成してもよい。
【０００９】
また、本発明の無線通信端末において、前記制御部は、前記通信部に、捕捉させる通信システムを指示する通信システム選択部と、前記通信部に、前記通信プロトコルによる捕捉を指示するプロトコル実行部と、前記通信システム選択部に、前記通信システムの捕捉試行処理開始指示を行う捕捉指示機能実行部と、を有し、前記捕捉指示機能実行部は、通信を行うことのできない圏外状態にあると判定される状態において通信開始の要求がなされると、前記通信システム選択部に前記成功履歴に格納される情報が特定する通信システムを選択させるとともに、当該選択された通信システムの捕捉指示を前記プロトコル実行部に行わせ、前記プロトコル実行部による捕捉試行に失敗した場合、前記複数の通信システムのうち前記成功履歴に無い通信システムを前記通信システム選択部に選択させるとともに、当該選択された通信システムの捕捉指示を前記プロトコル実行部に行わせるように構成してもよい。
【００１０】
また、本発明の無線通信端末において、前記制御部は、前記通信部が捕捉に成功した通信システムについて、捕捉が成功した順に、前記成功履歴として複数件を記憶し、前記通信システム選択部は、前記成功履歴に基づいて捕捉対象を選択する際、前記成功履歴にて特定される通信システムのうち最も新しいものから順に選択するように構成してもよい。
【００１１】
また、本発明の無線通信端末において、前記通信プロトコルは、第１の通信プロトコルと第２の通信プロトコルを含み、前記プロトコル実行部は、前記通信部に対し、前記第１の通信プロトコルによる捕捉を指示する第１プロトコル実行部と、前記第１の通信プロトコルより捕捉試行処理のための優先度が低い第２の通信プロトコルによる捕捉を指示する第２プロトコル実行部と、を含み、前記捕捉指示機能実行部は、前記圏外状態において通信開始の要求がなされ、前記通信システム選択部に前記成功履歴に基づいて通信システムを選択させると、当該選択された通信システムの捕捉指示を前記第１プロトコル実行部に行わせ、前記第１プロトコル実行部による捕捉試行に失敗すると、前記成功履歴に基づいて通信システムを選択させるとともに、当該選択された通信システムの捕捉指示を前記第２プロトコル実行部に行わせるように構成してもよい。
【００１２】
また、本発明の無線通信端末において、前記捕捉指示機能実行部は、前記圏外状態において通信開始の要求がなされ、前記成功履歴に基づいて選択された通信システムの捕捉試行が、前記第１プロトコル実行部と前記第２プロトコル実行部がともに失敗した場合、前記複数の通信システムのうち前記成功履歴にて特定されない通信システムを前記通信システム選択部に選択させ、当該選択された通信システムの捕捉指示を前記第１プロトコル実行部に行わせ、前記第１プロトコル実行部による捕捉試行に失敗すると、前記成功履歴に基づいて通信システムを選択させるとともに、当該選択された通信システムの捕捉指示を前記第２プロトコル実行部に行わせるように構成してもよい。
【００１３】
また、本発明の無線通信端末において、前記記憶部は、前記成功履歴を記憶する際、捕捉に成功した通信システムを示す情報とともに、前記第１プロトコル実行部と前記第２プロトコル実行部のいずれによって捕捉に成功したかを示す情報が格納され、前記捕捉指示機能実行部は、前記圏外状態において通信開始の要求がなされ、前記通信システム選択部に前記成功履歴に基づいて通信システムを選択する際、前記第１プロトコル実行部により捕捉成功した通信システムを選択して前記第１プロトコル実行部に捕捉指示させ、当該選択された通信システムについて捕捉試行に失敗すると、前記成功履歴に基づいて前記第２プロトコル実行部により捕捉成功した通信システムを選択して当該選択された通信システムの捕捉指示を前記第２プロトコル実行部に行わせるように構成してもよい。
【発明の効果】
【００１４】
本発明によれば、極力、消費電力を大きくしてしまうことなく、圏外と判定された状態にあっても、発信操作が行なわれたときに通信システムの捕捉を効率的に行い、極力、ユーザが希望する通信方式による接続を試行可能な無線通信端末を提供することができる。
【発明を実施するための最良の形態】
【００１５】
本発明の実施の形態の説明に先立ち、本発明の実施の形態にかかわる無線通信端末が適用可能な通信システムについての補足説明を行う。
【００１６】
近年、無線通信システムにおいて、使用する周波数帯の有効利用をはかるとともに、使用周波数を世界標準仕様に合わせるために周波数帯の再編が検討されている。
例えば、ＣＤＭＡ２０００ １ｘ使用の無線通信システムにおいて、現在、日本国内では、日本仕様の８００ＭＨｚ帯（以下、旧８００ＭＨｚ帯）が用いられているが、この周波数帯が世界標準仕様である新８００ＭＨｚ帯へ再編される予定である。なお、旧８００ＭＨｚ帯と新８００ＭＨｚ帯とでは、使用する周波数帯のうち、上り、下りの周波数割り当て等が相違している。こうした背景から、現行の周波数帯（旧８００ＭＨｚ）、新たな周波数帯（新８００ＭＨｚ）、および高周波の周波数帯（２ＧＨｚ）での通信が可能なマルチバンド対応の無線通信端末が開発されている。
【００１７】
マルチバンド対応の無線通信端末は、基地局によって割当てられるチャネルを介して当該基地局との間で無線通信を行なう。このとき、無線通信端末は、複数の周波数帯で無線信号の送受信が可能であり、具体的には、現行の周波数帯（旧８００ＭＨｚ）、新たな周波数帯（新８００ＭＨｚ）、および高周波の周波数帯（２ＧＨｚ）を用いて無線信号の送受信が可能である。
【００１８】
上記したそれぞれ異なる周波数帯の通信システムには、基地局と無線通信端末間で周波数帯を識別するための識別番号として、３ＧＰＰ２（3rd Generation Partnership Project 2）で規定されたバンドクラスが付与されている。
例えば、基地局から無線通信端末に通知される情報の中の近隣基地局リスト等において、無線通信端末の周辺に存在する通信システムを報知する等のためにこのバンドクラスが使用される。なお、現行の周波数帯（旧８００ＭＨｚ）はバンドクラス３、新たな周波数帯（新８００ＭＨｚ）はバンドクラス０、高周波の周波数帯（２ＧＨｚ）はバンドクラス６にそれぞれ分類されている。また、各バンドクラスには、プライマリチャンネルとセカンダリチャンネルが割当てられ（但し、バンドクラス６のＥＶＤＯ通信においてはプライマリチャンネルのみ）、更に、プロトコルの違い（ＥＶＤＯ）を考慮すれば、合計で１１パターンの通信システムが存在することになる。
【００１９】
以下、上記した１１パターンの通信システムを有するマルチバンド対応の無線通信端末の発信処理（１）について、図１に示す動作フローチャートを参照しながら説明する。
【００２０】
無線通信端末は、ユーザ操作等による発信要求があった場合、ＣＤＡＭＡ２０００_１ｘ通信（以下、単に１ｘという）より高速なＥＶＤＯ通信を優先的に選択して行なう。無線通信端末は、発信要求を受信して通信システムの捕捉試行処理を行い、失敗した場合、無線通信端末が捕捉可能な全ての通信システムについての情報（バンドクラス・周波数、プライマリ／セカンダリチャネル識別子、１ｘ／ＥＶＤＯプロトコル識別子、使用チャネル特定コードなど）が格納されたＰＲＬ（Preferred Roaming List）の中から次に捕捉試行処理を実行すべき代替の通信システムを探すが、このとき、代替ＥＶＤＯ通信システムを優先的に選択して再発信を行う。全ての代替ＥＶＤＯ通信システムでの発信が失敗した場合に、ＰＲＬ中の１ｘ通信システムを選択しで再発信による捕捉試行処理を実行する。
【００２１】
具体的に、無線通信端末は、図１に示されるように、ユーザ操作により、あるいはアプリケーションから発信要求が検出されると（Ｓ１０１）、ＰＲＬに格納されているＥＶＤＯ通信システムを選択し、ここで選択されたＥＶＤＯ通信システムによる捕捉試行処理を実行する（Ｓ１０２）。ここで、捕捉が成功した場合は（Ｓ１０３“Ｙｅｓ”）、成功したＥＶＤＯ通信システムを用いて発信処理を実行するが（Ｓ１０４）、失敗した場合（Ｓ１０３“Ｎｏ”）、再度ＰＲＬを参照して代替ＥＶＤＯ通信システムがあるか否かを判定する（Ｓ１０５）。ここで、代替ＥＶＤＯ通信システムがある場合（Ｓ１０５“Ｙｅｓ”）、その代替ＥＶＤＯ通信システムを選択してＳ１０２以降の捕捉試行処理を実行する（Ｓ１０６）。
【００２２】
一方、代替ＥＶＤＯ通信システムの全ての通信システムの捕捉試行処理を実行し、いずれも失敗した場合に（Ｓ１０５“Ｎｏ”）、はじめてＰＲＬに格納された１ｘ通信システムによる捕捉試行処理を実行する（Ｓ１０７）。ここで、捕捉が成功した場合は（Ｓ１０８“Ｙｅｓ”）、成功した１ｘ通信システムを用いて発信処理を実行するが（Ｓ１０９）、失敗した場合（Ｓ１０８“Ｎｏ”）、再度ＰＲＬを参照して代替１ｘ通信システムがあるか否かを判定する（Ｓ１１０）。ここで、代替１ｘ通信システムがある場合（Ｓ１１０“Ｙｅｓ”）、その代替１ｘ通信システムを選択してＳ１０７以降の捕捉試行処理を実行する（Ｓ１１１）。そして、代替１ｘ通信システムによる全ての通信システムの捕捉試行処理を実行し、いずれも失敗した場合に（Ｓ１１０“Ｎｏ”）、発信の失敗を通知する（Ｓ１１２）。
なお、上記した発信処理はその継続時間に制限が設けられ、所定時間内に捕捉試行処理が成功しない場合には発信処理自体が終了される。例えば、４０秒発信動作を続けても基地局と通信できない場合は自動的に発信終了となる。
【００２３】
上記した無線通信端末の発信処理（１）によれば、全てのＥＶＤＯ通信システムを全ての１ｘ通信システムより優先的に捕捉試行処理するため、これまで捕捉に成功したことがなく、捕捉成功の可能性が低いＥＶＤＯ通信システムでも、捕捉に成功したことがあり、捕捉成功の可能性が高いと思われる１ｘ通信システムより先に捕捉試行処理を実行する。そのため、実際にはＥＶＤＯ通信システムが圏外等により全く成功しないような状態では、発信要求から全てのＥＶＤＯ通信システムでの捕捉処理試行を経由して１ｘ通信システムによる捕捉試行処理までの時間が長くなり、１ｘ通信システムでしか発信が成功しないような状態では発信機会を逸し、ユーザビリティを低下させる可能性がある。
また、発信の開始から発信処理を継続するのに制限時間を設けている場合等は、１ｘ通信システムによる補捉試行処理が完了する前にタイムアウトしてしまい、発信成功率を低下させる可能性がある。
【００２４】
このため、以下に説明する発信処理（２）では、１ｘ通信システム、ＥＶＤＯ通信システムに関わらず、発信成功率が高いと思われる通信システムを優先的に選択する仕組みを構築することにより、発信要求から発信成功までの時間を短縮して発信機会を増やし、ユーザビリティの向上をはかるとともに、発信開始から発信試行を継続することに制限時間を設けている場合においても、発信成功率が高いと思われる通信システムを先に選択することで発信成功率を上げ、一層のユーザビリティの向上をはかったものである。
【００２５】
図２は、上記した発信処理（２）を実現する無線通信端末の内部構成を示すブロック図である。ここでは、無線通信端末として携帯電話が例示されており、この携帯電話は、通信部１と、操作部２と、音声処理部３と、スピーカ４と、マイク５と、表示部６と、記憶部７と、制御部８とを有する。
【００２６】
通信部１は、複数の通信システムを捕捉し、第１の通信プロトコル（例えば、ＥＶＤＯ）と第２の通信プロトコル（例えば、１ｘ）にしたがい、通信ネットワークに接続される不図示の基地局との間で無線通信を行う。なお、ＥＶＤＯ通信は、１ｘ通信よりも高速であり、１ｘ通信は、ＥＶＤＯ通信と異なり、データ通信の他に音声通信もサポートするといった特徴を有している。
特徴的には、通信部１は、後述する制御部８による制御により、いずれかの通信システムが捕捉できたときにその通信システムを成功履歴（ＭＲＵ：Most Recently Used）に格納するとともに、捕捉試行処理が指示されたとき、成功履歴に格納された通信システムの捕捉試行処理を実行し、捕捉試行処理に失敗した場合、成功履歴に無い通信システムの捕捉試行処理を実行する機能を持つ。詳細は後述する。
【００２７】
操作部３は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部８に入力する。
音声処理部３は、スピーカ４から出力される音声信号やマイク５において入力される音声信号の処理を行う。すなわち、マイク５から入力される音声を増幅し、アナログ−デジタル変換を行い、更に符号化等の信号処理を施し、デジタルの音声データに変換して制御部８に出力する。また、制御部８から供給される音声データに復号化、デジタル−アナログ変換、増幅等の信号処理を施し、アナログの音声信号に変換してスピーカ４に出力する。
【００２８】
表示部６は、例えば、液晶表示パネルや有機ＥＬ（Electro-Luminescence）パネルなどの表示デバイスを用いて構成されており、制御部８から供給される映像信号に応じた画像を表示する。例えば、発信時における発信先の電話番号、着信時における着信相手の電話番号、受信メールや送信メールの内容、日付、時刻、バッテリ残量、発信成否、待ち受け画面などの各種の情報や画像を表示する。
記憶部７は、制御部８において処理に利用される各種のデータを記憶する。例えば、制御部８に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。なお、上記した記憶部７は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２９】
制御部８は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧など）が操作部２の操作に応じて適切な手順で実行されるように、上述した各ブロックの動作（通信部１における信号の送受信、音声処理部３における音声の入出力、表示部６における画像の表示など）を制御する。
制御部８は、記憶部７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部７に格納されるオペレーティングシステムやアプリケーションプログラム等のプログラムから命令コードを順次読み込んで処理を実行する。
【００３０】
特徴的には、制御部８は、携帯電話が通信を行なうことのできない圏外状態にあると判定された状態において通信開始の要求がなされると、通信部１に対して複数の通信システムのいずれかの捕捉を指示する捕捉指示を行う機能を有し、キー検出部８１と、表示制御部８２と、ＥＶＤＯプロトコル実行部８３と、１ｘプロトコル実行部８４と、通信システム選択部８５と、捕捉指示機能実行部８６と、スキャンリスト格納部８７とにより構成される。
【００３１】
なお、これらのブロックが持つ機能は、記憶部７に記憶されるそれぞれのプログラムを制御部８で実行することにより達成されるものであって、制御部８内において実体的に他のブロックと区分され内蔵されるもののみを指すのではなく、あくまで説明の簡略化のために各処理部を分けて表現したものである。
【００３２】
キー検出部８１は、操作部２からの発信操作を検出して捕捉指示機能実行部８６による捕捉処理を起動する機能を持ち、また、表示制御部８２は、捕捉指示機能実行部８６を介して出力される発信の成否を表示部６に表示する機能を持つそれぞれユーザインタフェースとしての役割を果たす。
ＥＶＤＯプロトコル実行部８３は、通信部１に第１の通信プロトコル（ＥＶＤＯ）による捕捉を指示する第１プロトコル実行部として機能し、また、１ｘプロトコル実行部８４は、通信部１に第２の通信プロトコル（１ｘ）による捕捉を指示する第２プロトコル実行部として機能し、基地局との間でそれぞれ通信を実行する。
【００３３】
通信システム選択部８５は、通信部１に対して捕捉させる通信システムを指示する機能を持ち、具体的には、捕捉指示機能実行部８６から捕捉試行処理開始指示がなされ、当該捕捉試行処理を行う際に、いずれかの通信システムが捕捉できたときにその通信システムをスキャンリスト記憶部８７に成功履歴として格納する。ここで、成功履歴とは、捕捉に成功した最新の１件分だけではなく、ＦＩＦＯ的に複数件分の通信システムを特定する情報（バンドクラス・周波数、プライマリ／セカンダリチャネル識別子、１ｘ／ＥＶＤＯプロトコル識別子、使用チャネル特定コードなど）が捕捉に成功した順に前述したＭＲＵとして格納されるものである。また、ＭＲＵとは、通信圏内において、使用中の通信システムの信号強度が弱まったことが検出されてハンドオーバするときなどに、次の使用チャネルを特定するなどのために格納されるものである。
その後、通信を 行うことのできない圏外状態に遷移した状態で、捕捉試行処理が指示されたとき、スキャンリスト格納部８７に成功履歴として格納された通信システムの捕捉試行処理を実行し、捕捉試行処理に失敗した場合、成功履歴に無い通信システムの捕捉試行処理を実行する。なお、ＭＲＵを更新する処理は常に行われているため、実質的には圏外に移行する直前までの最新の成功履歴が格納されることになる。
【００３４】
ところで、本発明の実施の形態における「圏外状態」とは、いずれの通信システムからも通信可能な強度の信号が検出されなくなった状態になって圏外フラグをＯＮして以降を指すものであり、圏内への復帰のための捕捉処理が別途間欠的に実行され、圏内に復帰して圏外フラグをＯＦＦすることができていない状態のことである。圏内への復帰処理は、所定周期で行われるものであるため、周辺の電波環境が良好な状態に遷移していても、圏内復帰処理のなされていない周期においては「圏外」状態として判定される状態が継続することとなる。また、制御部８は、通信部１により捕捉中の通信システムからの信号強度に基づいて、受信電波状況として表示部６上にアンテナ記号を表示するが、このアンテナ記号上も圏外としてユーザに通知される状態になっている。
【００３５】
捕捉指示機能実行部８６は、通信システム選択部８５に対して通信システムの捕捉試行処理開始指示を行う機能を有し、具体的には、通信を行なうことのできない圏外状態にあると判定された状態において通信開始の要求がなされると、通信システム選択部８５に対し、複数の通信システムのいずれかの捕捉を指示する捕捉試行処理開始指示を行い、当該捕捉試行処理開始指示に対して捕捉成功が通知される前に所定時間が経過した場合には、通信システム選択部８５に対して、再度、捕捉試行処理開始指示を行う。また、当該捕捉試行処理開始指示に対して捕捉成功が通知された場合には、捕捉が成功した通信システムによる通信開始の処理を行う。
【００３６】
スキャンリスト格納部８７のデータ構造の一例が図３に示されている。まず、ここでは、スキャンリストとしてＰＲＬを使用することとする。ＰＲＬは、ＥＶＤＯと１ｘのそれぞれに複数の通信システムを対応づけて格納され、ＥＶＤＯと１ｘは、ＥＶＤＯではＥＶＤＯが優先されるように、複数の通信システムの中では２ＧＨｚ、新８００ＭＨｚ、旧８００ＭＨｚの順に優先されるように、さらには、セカンダリチャネルよりもプライマリチャネルを優先的に選択されるように順序が定義づけられたデータである。
【００３７】
図３に示されるように、スキャンリスト格納部８７には、ＰＲＬ中のＥＶＤＯ通信システムと１ｘ通信システムがともに、捕捉試行処理に成功したことのある成功履歴（ＭＲＵに格納される情報にて特定される通信システムと一致する通信システム）としての通信システムＭと、捕捉試行処理に成功したことのない（ＭＲＵに特定する情報の格納されてない通信システムである）通信システムＯとに分割され格納されるものとする。すなわち、ＭＲＵに格納されている情報（バンドクラス・周波数、プライマリ／セカンダリチャネル識別子、１ｘ／ＥＶＤＯプロトコル識別子など）により特定される通信システムと、一致するＰＲＬ上の通信システムを通信システムＭとして抽出し、一致しない通信システムを通信システムＯとする。また、通信システムＭは、ＭＲＵに格納された順に対応する順番に格納され、通信システムＯは、ＭＲＵに格納される通信システムを除いた形でＰＲＬ上での格納順序を保持している。以降、ＥＶＤＯ通信システムに関し、前者をＥＶＤＯ（Ｍ）、後者をＥＶＤＯ（Ｏ）とし、１ｘ通信システムに関し、前者を１ｘ（Ｍ）、後者を１ｘ（Ｏ）と称する。
なお、スキャンリスト格納部８７は、電源投入時に記憶部７の所定の記憶領域に割当てられ、通信システム選択部８５によって選択され、ＥＶＤＯプロトコル実行部８３または１ｘプロトコル実行部８４と基地局との間で実行される捕捉試行処理の都度、捕捉に成功した通信システム、あるいは捕捉に失敗した通信システムがともに履歴としてリスト形式で格納されるものとする。
【００３８】
以下、図４、図５に示すフローチャートを参照しながら図２に示す無線通信端末による発信処理（２）について詳細に説明する。
【００３９】
まず、ユーザが操作部２を介して発信キーを操作することにより発信要求が生成される。この発信要求は、キー検出部８１により検出され、このことにより、捕捉指示機能実行部８６が起動される（図４のＳ４０１）。
ここで、捕捉指示機能実行部８６は、通信システム選択部８５に対し、ＥＶＤＯ（Ｍ）による捕捉試行処理の開始を指示する（Ｓ４０２）。通信システム選択部８５はこれを受け、スキャンリスト格納部８７に格納された通信システムのうち、ＥＶＤＯ（Ｍ）の最新のものを選択し、ここで選択されたＥＶＤＯ通信システムによる捕捉を実行させるべくＥＶＤＯプロトコル実行部８３に対して捕捉指示を行い、捕捉可否の通知を待つ（Ｓ４０３）。
【００４０】
ＥＶＤＯプロトコル実行部８３は、図示せぬ基地局との間でＥＶＤＯ通信システムによる捕捉試行処理を実行し、捕捉可否の結果を通信システム選択部８５に通知する。通信システム選択部８５は、捕捉成功が通知された場合（Ｓ４０３“成功”）、捕捉指示機能実行部８６に対し、捕捉が成功したＥＶＤＯ（Ｍ）を用いた発信処理を要求し、これを受けた捕捉指示機能実行部８６は、発信処理を実行する（Ｓ４０４）。
一方、捕捉に失敗した場合（Ｓ４０３“失敗”）、通信システム選択部８５は、再度スキャンリスト格納部８７を参照して代替ＥＶＤＯ（Ｍ）があるか否か（他に、ＭＲＵに格納されるＥＶＤＯの通信システムが存在するか）を判定する（Ｓ４０５）。ここで、代替ＥＶＤＯ（Ｍ）があると判定された場合（Ｓ４０５“Ｙｅｓ”）、通信システム選択部８５は、その代替ＥＶＤＯ通信システムを選択し（Ｓ４０６）、ここで選択されたＥＶＤＯ通信シテムによる捕捉を実行させるべく、ＥＶＤＯプロトコル実行部８３に対して捕捉指示を行い、捕捉可否の通知を待つ。ＥＶＤＯプロトコル実行部８３は、図示せぬ基地局との間でＥＶＤＯ通信システムによる捕捉試行処理を実行し、捕捉可否の結果を通信システム選択部８５に通知する。
【００４１】
上記した一例の理を繰り返し（Ｓ４０２〜Ｓ４０６）、スキャンリスト格納部８７に格納された代替ＥＶＤＯ（Ｍ）の全ての通信システムの捕捉試行処理を実行し、いずれも失敗した場合に（Ｓ４０５“Ｎｏ”）、通信システム選択部８５から失敗の通知を受けた捕捉指示機能実行部８６は、通信システム選択部８５に対して、スキャンリスト記憶部８７に格納された１ｘ（Ｍ）の最新のものによる捕捉試行処理の開始を指示する（Ｓ４０７）。
通信システム選択部８５はこれを受け、スキャンリスト格納部８７に格納された１ｘ（Ｍ）を選択し、ここで選択された１ｘ通信システムによる捕捉を実行させるべく１ｘプロトコル実行部８４に対して捕捉指示を行い、捕捉可否の通知を待つ（Ｓ４０８）。
【００４２】
１ｘプロトコル実行部８４は、図示せぬ基地局との間で選択された１ｘ（Ｍ）による捕捉試行処理を実行し、捕捉可否の結果を通信システム選択部８５に通知する。通信システム選択部８５は、捕捉成功が通知された場合（Ｓ４０８“成功”）、捕捉指示機能実行部８６を起動し、捕捉指示機能実行部８６による捕捉が成功した１ｘ通信システムを用いた発信処理が実行される（Ｓ４０９）。
一方、捕捉に失敗した場合（Ｓ４０８“失敗”）、通信システム選択部８５は、再度スキャンリスト格納部８７を参照して代替１ｘ（Ｍ）があるか否かを判定する（Ｓ４１０）。ここで、代替１ｘ通信システムがあると判定された場合（Ｓ４１０“Ｙｅｓ”）、通信システム選択部８５は、その代替１ｘ通信システムを選択し（Ｓ４１１）、Ｓ４０７の処理に戻り、ここで選択された１ｘ通信システムによる捕捉を実行させるべく、１ｘプロトコル実行部８４に対して捕捉指示を行い、捕捉可否の通知を待つ（Ｓ４０８）。
１ｘプロトコル実行部８３は、図示せぬ基地局との間で選択された１ｘ通信システムによる捕捉試行処理を実行し、捕捉可否の結果を通信システム選択部８５に通知する。
【００４３】
上記した一例の理を繰り返し（Ｓ４０７〜Ｓ４１１）、スキャンリスト格納部８７に格納された代替１ｘ（Ｍ）の全ての通信システムの捕捉試行処理を実行し、いずれも失敗した場合に（Ｓ４１０“Ｎｏ”）、通信システム選択部８５から失敗の通知を受けた捕捉指示機能実行部８６は、通信システム選択部８５に対して、スキャンリスト記憶部８７に格納されたＥＶＤＯ（Ｏ）による捕捉試行処理の開始を指示する（図４の４１２）。
通信システム選択部８５はこれを受け、スキャンリスト格納部８７に格納されたＥＶＤＯ（Ｏ）を選択し、ここで選択されたＥＶＤＯ通信システムによる捕捉を実行させるべくＥＶＤＯプロトコル実行部８３に対して捕捉指示を行い、捕捉可否の通知を待つ（Ｓ４１３）。
【００４４】
ＥＶＤＯプロトコル実行部８３は、図示せぬ基地局との間で選択されたＥＶＤＯ通信システムによる捕捉試行処理を実行し、捕捉可否の結果を通信システム選択部８５に通知する。通信システム選択部８５は、捕捉成功が通知された場合（Ｓ４１３“成功”）、捕捉指示機能実行部８６を起動し、捕捉指示機能実行部８６による捕捉が成功したＥＶＤＯ通信システムを用いた発信処理を実行する（Ｓ４１４）。
一方、失敗した場合（Ｓ４１３“失敗”）、通信システム選択部８５は、再度スキャンリスト格納部８７を参照して代替ＥＶＤＯ（Ｏ）があるか否かを判定する（Ｓ４１５）。ここで、代替ＥＶＤＯ通信システムがある場合（Ｓ４１５“Ｙｅｓ”）、その代替ＥＶＤＯ通信システムを選択し（Ｓ４１６）、ここで選択されたＥＶＤＯ通信システムによる捕捉を実行させるべく、ＥＶＤＯプロトコル実行部８３に対して捕捉指示を行い、捕捉可否の通知を待つ（Ｓ４１３）。続いて、ＥＶＤＯプロトコル実行部８３は、図示せぬ基地局との間で選択されたＥＶＤＯ通信システムによる捕捉試行処理を実行し、捕捉可否の結果を通信システム選択部８５に通知する。
【００４５】
上記した一例の理を繰り返し（Ｓ４１２〜Ｓ４１６）、スキャンリスト格納部８７に格納された代替ＥＶＤＯ（Ｏ）の全ての通信システムの捕捉試行処理を実行し、いずれも失敗した場合に（Ｓ４１５“Ｎｏ”）、通信システム選択部８５から失敗の通知を受けた捕捉指示機能実行部８６は、通信システム選択部８５に対して、スキャンリスト記憶部８７に格納された１ｘ（Ｏ）による捕捉試行処理の開始を指示する（Ｓ４１７）。
通信システム選択部８５はこれを受け、スキャンリスト格納部８７に格納された１ｘ（Ｏ）を選択し、ここで選択された１ｘ通信システムによる捕捉を実行させるべく１ｘプロトコル実行部８４に対して捕捉指示を行い、捕捉可否の通知を待つ（Ｓ４１８）。１ｘプロトコル実行部８４は、図示せぬ基地局との間で選択された１ｘ（Ｏ）による捕捉試行処理を実行し、捕捉可否の結果を通信システム選択部８５に通知する。通信システム選択部８５は、捕捉成功が通知された場合（Ｓ４１８“成功”）、捕捉指示機能実行部８６を起動し、捕捉指示機能実行部８６による捕捉が成功した１ｘ通信システムを用いた発信処理を実行する（Ｓ４１９）。
【００４６】
一方、捕捉に失敗した場合（Ｓ４１８“失敗”）、通信システム選択部８５は、再度スキャンリスト格納部８７を参照して代替１ｘ（Ｏ）があるか否かを判定する（Ｓ４２０）。ここで、代替１ｘ通信システムがある場合（Ｓ４２０“Ｙｅｓ”）、その代替１ｘ通信システムを選択し（Ｓ４２１）、ここで選択された１ｘ通信システムによる捕捉を実行させるべく、１ｘプロトコル実行部８４に対して捕捉指示を行い、捕捉可否の通知を待つ（Ｓ４１８）。そして、代替１ｘ（Ｏ）による全ての通信システムの捕捉試行処理を実行し、いずれも失敗した場合（Ｓ４２０“失敗”）、クライアントに対して発信の失敗を通知する（Ｓ４２２）。捕捉指示機能実行部８６は、発信の失敗の通知を受け、表示制御部８２を制御して表示部６に、発信の失敗を示すメッセージ（アイコンでも可）を表示する。
【００４７】
上記した発信処理（２）によれば、ＥＶＤＯ通信システム、１ｘ通信システム等の通信プロトコルに関わらず、発信成功率が高いと考えられる成功履歴にある通信システムを優先的に選択することで（捕捉試行処理に成功したことのある１ｘ通信システムを、捕捉試行処理が成功したことのないＥＶＤＯ通信システムより優先的に処理する）、発信要求から発信処理に至るまでの時間が短縮され、発信の機会が増えるためユーザビリティを改善することができる。
すなわち、圏外に遷移してから発信要求が生じるまでの時間がほとんど経過していなかったり、ユーザがほとんど移動していなかったりする場合も多いため、圏外における発信時には必ずしもＰＲＬに則って、すべての通信システムを規定の順序どおりに捕捉試行することが好ましいとはいえない。このような場合には、周辺電波環境が圏外遷移直前と同じ状態に近いことも多いので、圏外に遷移する直前まで捕捉に成功した履歴の格納を更新し続けているＭＲＵにしたがった捕捉試行処理のみにて、充分に発信可能な条件の通信システムを見つけられる可能性も高い。特に、ＭＲＵにしたがって捕捉候補を決める際、ＥＶＤＯ通信システムについて失敗が続いてもさらに１ｘ通信システムについても捕捉試行するため、ＥＶＤＯ／１ｘを問わず成功履歴のあるものを優先して捕捉する。また、ＭＲＵに基づいた捕捉試行処理に失敗しても、重複した捕捉試行処理を省略しつつＰＲＬに基づいて他の通信システムについての捕捉試行処理を続けて行う。このため、一通りの通信システムについて、必要時間を増大させることなく捕捉試行処理を行うことができる。また、発信開始から発信処理試行を継続する時間に制限を設けている場合等は、発信成功率が高いと考えられる通信システムを優先的に選択して捕捉試行処理を実行することにより発信成功率を上げることができる。
【００４８】
なお、上記した本発明の実施の形態によれば、無線通信端末として携帯電話を例示したが、他に、ＰＤＡ（Personal Digital Assistants）、ＰＣ（Personal Computer）、ゲーム機に適用しても同様の効果が得られる。
また、本発明の無線通信端末の各構成ブロックの機能は、全てをソフトウェアによって実現しても、あるいはその少なくとも一部をハードウエアで実現してもよい。例えば、制御部８における処理や、通信部１、音声処理部３におけるデータ処理は、１または複数のプログラムによりコンピュータ上で実現してもよく、また、その少なくとも一部をハードウエアで実現してもよい。
なお、上記した本発明の実施の形態によれば、ＥＶＤＯと１ｘを通信プロトコルに用いる例を説明したが、これに限定されるものではなく、他の通信プロトコルを用いた無線通信端末にも適用可能であることはいうまでもない。
【図面の簡単な説明】
【００４９】
【図１】マルチバンド対応の無線通信端末の発信処理（１）を示すフローチャートである。
【図２】本発明の実施の形態にかかわる無線通信端末の内部構成を示すブロック図である。
【図３】本発明の実施の形態にかかわる無線通信端末で使用されるスキャンリスト記憶部のデータ構造の一例を示す図である。
【図４】本発明の実施の形態にかかわる無線通信端末の動作（発信処理２）を説明するために引用したフローチャートである。
【図５】本発明の実施の形態にかかわる無線通信端末の動作（発信処理２）を説明するために引用したフローチャートである。
【符号の説明】
【００５０】
１…通信部、２…操作部、３…音声処理部、４…スピーカ、５…マイク、６…表示部、７…記憶部、８…制御部、８１…キー検出部、８２…表示制御部、８３…ＥＶＤＯプロトコル実行部（第１プロトコル実行部）、８４…１ｘプロトコル実行部（第２プロトコル実行部）、８５…通信システム選択部、８６…捕捉指示機能実行部、８７…スキャンリスト格納部
【図１】
2008141260.tif 000003
【図２】
2008141260.tif 000004
【図３】
2008141260.tif 000005
【図４】
2008141260.tif 000006
【図５】
2008141260.tif 000007